(57)【要約】 【課題】  本発明は指輪に関し、複数の部材や色彩等を一の指輪に表現可能とし、指輪の外周外観上にその相違を用いることのできる指輪の提供を課題とするとともに、この複数の部材等を使用した上で極めて強度の高い指輪の提供を課題とする。【解決手段】  ２つ以上の略弧状の指輪環構成部からなり、両端を凸部と凹部とに構成し、この凸部と凹部で嵌合して嵌着して指輪を形成し、この嵌着に際してとも付けにて接着する指輪からなる。【選択図】    図１
2013017618.tif 000002
【特許請求の範囲】
【請求項１】
少なくとも２つ以上の略弧状の指輪環構成部１を連設して構成する指輪であって、
該指輪環構成部１の両端を凸部１０と凹部１１に構成し、それぞれの指輪環構成部１を凸部１０と凹部１１とにより嵌合することにより嵌着して指輪を形成するものであり、
凸部１０と凹部１１との嵌着に際してとも付けで接着することを特徴とする指輪。
【請求項２】
少なくとも２つ以上の略弧状の指輪環構成部１を連設して構成する指輪であって、
該指輪環構成部１の両端を凸部１０と凹部１１に構成してそれぞれの指輪環構成部１を凸部１０と凹部１１により嵌合して嵌着して指輪を形成するものであり、
凸部１０と凹部１１の嵌着に際して蝋付けで接着することを特徴とする指輪。
【請求項３】
それぞれの指輪環構成部１のうち少なくとも一の指輪環構成部１が材質を異にするものであることを特徴とする請求項１又は２のいずれかに記載の指輪。
【請求項４】
それぞれの指輪環構成部１のうち少なくとも一の指輪環構成部１が色彩を異にするものであることを特徴とする請求項１又は２のいずれかに記載の指輪。
【請求項５】
それぞれの指輪環構成部１の両端部に凸部１０と凹部１１を任意に形成し、それぞれの指輪環構成部１に構成した凸部１０と凹部１１とを嵌着して指輪を形成するものであることを特徴とする請求項１乃至４のいずれかに記載の指輪。
【請求項６】
それぞれの指輪環構成部１が、それぞれ同じ長さを有することを特徴とする請求項１乃至５のいずれかに記載の指輪。
【請求項７】
それぞれの指輪環構成部１の内いずれか一以上が、他の指輪環構成部１と長さを異にするものであることを特徴とする請求項１乃至５のいずれかに記載の指輪。
【請求項８】
それぞれの指輪環構成部１の孤状のアール角度が、それぞれ同じアール角度を有することを特徴とする請求項１乃至７のいずれかに記載の指輪。
【請求項９】
それぞれの指輪環構成部１の内いずれか一以上が、他の指輪環構成部１の孤状のアール角度と異なるアール角度を有することを特徴とする請求項１乃至７のいずれかに記載の指輪。
【請求項１０】
それぞれの指輪環構成部１の内いずれか一以上が、他の指輪環構成部１の太さと異なる太さを有することを特徴とする請求項１乃至９のいずれかに記載の指輪。
【請求項１１】
指輪環構成部１の凸部１０の一面又は一部が外表面に表出するものであり、これに対応して凹部も外表面の一面又は一部が切欠部によって構成されていることを特徴とする請求項１乃至１０のいずれかに記載の指輪。
【請求項１２】
指輪環構成部１の凸部１０の一面又は一部が指輪の環の内周側が外表面に表出しているものであることを特徴とする請求項１１に記載の指輪。
【発明の詳細な説明】
【技術分野】
【０００１】
本発明は、指輪に関するものであり、より具体的には孤状片の指輪環構成部を組み合わせることによって構成される環状の指輪に関するものである。
【背景技術】
【０００２】
指輪の装飾に関しては、その外観に特殊性やデザイン性をもたせることによって価値を高めるため、多様な構成が用いられてきている。
特に一の部材ではなく複数の部材を指輪のリングに用いることにより美的価値を有する特殊形状の指輪の提供が可能となり、指輪の装飾の範囲を飛躍的に広げることができる。
この様な構成を可能とする画期的な発明として本件の発明者による特願２００７−１８５３５２号（特許文献１）に示すものがある。
【０００３】
これは、リングに関して外周方向の外側リングと内周方向の内側リングとをそれぞれ別部材で構成して、これを組み合わせて特殊外形を有するリングを構成するものである。
更に特開２００８−６２０１８号（特許文献２）に示すものがある。
これは略輪状の薄板を構成し、これを多層積み重ねて多層リングを構成するものである。
【先行技術文献】
【特許文献】
【０００４】
【特許文献１】特開２００７−１８５３５２号
【特許文献２】特開２００８−６２０１８号
【発明の概要】
【発明が解決しようとする課題】
【０００５】
以上の様に、複数の部材を用いることのできる指輪としては前記のような特許文献１及び特許文献２が存在する。
まず特許文献１に関しては、指輪の外周と内周のそれぞれの部分を異なる部材を用いることができることから、色彩的な相違や材質的な相違を有する指輪の提供を可能とし、極めて画期的である。
特に肌に触れる部分と外周部分とで異なる材質を用いることができ、それぞれに対応して異なる材質を用いることができる等の特別な効果をも併せ有するものである。
【０００６】
又、横から視認した場合には内周部と外周部とで異なる材質や色等を構成できるものであり、極めて美的に優れた指輪の提供が可能となる。
更にはその外周部分と内周部分の接する部分を線状・面状或いは波状や特殊孤状等各種形状を採用でき、その特殊形状により更なる美的価値を与えることが可能となる。
但し、この様に構成した場合には、指輪の側面部分における装飾しか行えず、外観上最も認識度の高い外周面には複数の材質を使い分けることはできないものとなる。
従って、この点で何らかの別途発明が必要となるものである。
【０００７】
更に特許文献２によれば多層構成が取れることから各種の材質を用いることができるが、この場合にも側面部分にリング状の材質の相違点や色的な相違的だけしか表出できず、美的な外観を表出するには極めて制限の多いものとなってしまう。
又、多層形状とすることから、それぞれの層の接着が必要となり、強度の点がそれほど高いものではなく又や接着の状態が外観にあらわれてしまうものとなる。
【０００８】
従って、これらの点で制約を受けてしまい、美的な処理を施すとしても極めて制約が多く、特に最も外観上美観を表示する部分の外周部において材質の相違や色彩の相違等を美的に表示することのできる何らかの方法が望まれるものである。
更には、この指輪が美的な処理の制約が少なくかつ指輪として必要する強度をきっちりと有するものであることが望まれるものである。
【課題を解決するための手段】
【０００９】
係るために請求項１に記載の発明は少なくとも２つ以上の略弧状の指輪環構成部を連設して構成する指輪であって、該指輪環構成部の両端を凸部と凹部とに構成し、それぞれの指輪環構成部を凸部と凹部により嵌合することにより嵌着して指輪を形成するものであり、凸部と凹部の嵌着に際してとも付けで接着する指輪からなり、係る発明により前記課題を解決できる。
【００１０】
或いは請求項２に係る発明は、少なくとも２つ以上の略弧状の指輪環構成部を連設して構成する指輪であって、該指輪環構成部の両端を凸部と凹部に構成してそれぞれの指輪環構成部を凸部と凹部により嵌合して嵌着して指輪を形成するものであり、凸部と凹部の嵌着に際して蝋付けで接着する指輪からなるものであって、係る発明によっても前記課題を解決できる。
【００１１】
これらの場合請求項３に係る発明のようにそれぞれの指輪環構成部のうち少なくとも一の指輪環構成部が材質を異にする指輪でも、請求項４に係る発明のようにそれぞれの指輪環構成部のうち少なくとも一の指輪環構成部が色彩を異にする指輪を用いてもよい。
又、請求項５に係る発明のようにそれぞれの指輪環構成部の両端部に凸部と凹部を任意に形成し、それぞれの指輪環構成部に構成した凸部と凹部とを嵌着して指輪を形成するものである指輪を用いてもよい。
【００１２】
更に、請求項６に係る発明のようにそれぞれの指輪環構成部がそれぞれ同じ長さを有するものでも、或いは請求項７に係る発明のようにそれぞれの指輪環構成部の内いずれか一以上が他の指輪環構成部と長さを異にする指輪を用いてもよい。
或いは、請求項８に係る発明のようにそれぞれの指輪環構成部の孤状のアール角度がそれぞれ同じアール角度を有する指輪を用いても、請求項９に係る発明のようにそれぞれの指輪環構成部の内いずれか一以上が他の指輪環構成部の孤状のアール角度と異なるアール角度を有する指輪を用いてもよい。
【００１３】
或いは請求項１０に係る発明のようにそれぞれの指輪環構成部の内いずれか一以上が他の指輪環構成部の太さと異なる太さを有する指輪を用いてもよい。
これらのほか、請求項１１に係る発明のように指輪環構成部の凸部の一面又は一部が外表面に表出するものであり、これに対応して凹部も外表面の一面又は一部が切欠部によって構成されている指輪を用いてもよいものであり、特に請求項１２に係る発明のように指輪環構成部の凸部の一面又は一部が指輪の環の内周側が外表面に表出している指輪を用いるものでもよい。
【発明の効果】
【００１４】
以上のように構成したことから、指輪を複数の指輪環構成部を連設して構成でき、それぞれ部材や色彩を任意に異ならしめることにより、極めて特殊で美的価値の高い指輪の提供ができる。  更にはそれぞれ指輪環構成部の形状や太さである外形等を変化させることによっても更なる美的処理を施すことができる指輪の提供を可能とする。
特に指輪環構成部の両端を凸部と凹部で構成し、それぞれを嵌合して嵌着することによりきっちりと嵌め込んで装着すると共に更に強度をもって接着するためにとも付け又は蝋付けを行うものであって、両者相まって極めて強度の高い破損しない指輪の提供を可能とするものである。
【００１５】
尚、材質や色彩を異なるものとするばかりでなく、同一とした場合であっても、指輪を複数の指輪環構成部を接続した特殊形状を表出できると共にそれぞれ形状である弧状のアール角の異なる指輪環構成部や長さの異なる指輪環構成部を前記のように極めて高い強度でしっかりと接続して接着できることから、強度のあるデザイン性の極めて高い指輪の提供を可能とするものである。
或いは太さを変えることにより、強度の高いかつ極めて特異なデザイン性の高い指輪の提供を可能とする。
【図面の簡単な説明】
【００１６】
【図１】本発明に係る指輪の一例を示す図
【図２】本発明に係る指輪の指輪環構成部を接着する前の状態の一例を示す図
【図３】本発明に係る指輪の指輪環構成部の両端の凸部と凹部の一例を示す図
【図４】本発明に係る指輪の指輪環構成部の両端の凸部と凹部の他の一例を示す図
【図５】本発明に係る指輪の指輪環構成部の両端の凸部と凹部の他の一例を示す図
【図６】図５に示す凸部と凹部を嵌合せた状態の一例を示す図
【図７】本発明に係る指輪の指輪環構成部の両端の凸部と凹部の他の一例を示す図
【図８】図７に示す凸部と凹部を嵌合する前の状態の指輪の一例を示す斜視図
【図９】図７に示す凸部と凹部を嵌合して指輪を構成した一例を示す図
【図１０】一般的な部材同士をロー付する場合の状態の一例を示す図
【図１１】図３又は図４に示す本発明に係る指輪の指輪環構成部の両端の凸部と凹部の嵌合状態の一例を示す図
【図１２】図５及び図６に示す本発明に係る指輪の指輪環構成部の両端の凸部と凹部の嵌合状態の一例を示す図
【図１３】本発明に係る指輪の指輪環構成部の構成の他の一例を示す図
【図１４】本発明に係る指輪の指輪環構成部の構成の他の一例を示す図
【図１５】本発明に係る指輪の指輪環構成部の構成の他の一例を示す図
【発明を実施するための形態】
【００１７】
図１は、本発明の基本的な一形態の例を示す図である。
本図に示す指輪は３つの部材よりなり、それぞれ略弧状の指輪環構成部１が３つ連設して環状の指輪を構成しているものである。
例えば金と銀、或いはプラチナなどをそれぞれの略弧状の指輪環構成部１が用いて材質を変えて連設することによって極めて外観上特異なデザインレベルの高い美的な装飾を与えられるものである。
【００１８】
尚、それぞれ材質を異なるものとするほか、色彩を異にするものでもよく、或いは全て同じものを用いるものであってもよい。
もちろん一部のみ変えるものであってもよい。
図２は、それぞれの指輪環構成部１を取り外した状態を示す図であり、それぞれ一端に凸部１０と、他端に凹部１１とを有しているものであり、この凸と凹を嵌着することによってそれぞれ連設するものである。
【００１９】
この場合凸部１０と凹部１１に関してはそれぞれ嵌着して組立てられれば良いものであり、両端を同一形状にするものであって、本図のように異なるものとするものであってもよい。
本図においては３つの指輪環構成部１を用いたものを示すが、この他２つの指輪環構成部よりなるものでも、４つの指輪環構成部よりなるものでも、５つ以上の指輪環構成部よりなるものであってもよい。
【００２０】
又それぞれの指輪環構成部１が、異なる長さの孤状よりなる指輪環構成部を用いてもよい。
或いは孤状のアール角度の異なる指輪環構成部を任意に組み合わせて環状に指輪を構成するものであってもよい。
図３は、凸部１０と凹部１１とがそれぞれ円筒形状に構成されている一例を示す。
この様に構成することによってきっちりは嵌合できるものである。
図４は、凸部１０と凹部１１が四角柱形状に構成されている一例を示す。
この様に構成するものであってもよい。
【００２１】
尚、嵌合可能であれば他の形状を用いるもので当てももちろんよく、例えば楕円柱や多角柱形状などを用いてももちろんよい。
又、図３及び図４とも凸部１０は直線状に突出し、これに対応した凹部１１を有するが、それぞれ孤状に湾曲した形状や他の任意の形状であって両者を嵌着可能な構成よりなるものであればよい。
次にこれらの凸部１０と凹部１１はとも付けにより接着されているものである。
これによりきっちりと接着されて極めて高い強度を有することとなる。
【００２２】
とも付けは、接合面に作業同種の地金片をのせ、地金だけで接合をするものであり、いずれかの地金をもって溶接接合するものをいう。
例えば地金を融かして接合するものでもよく、又電子レーザー等を用いてとも付け接合をするものであってもよい。
更に、とも付けのほか例えば蝋付けにより構成されるものであってもよい。
接着用の蝋材を用いて、接着するものである。  強度的には若干落ちるが凹凸形状で嵌合により嵌着することから蝋付けを用いても強度は高く維持できるものであることから、不用意な破損などを防止できる。
【００２３】
図５は、指輪環構成部の凸部１０の一例として四角柱形状の凸部１０の一面に属する一部が外表面に表出して構成されており、これに対応して指輪環構成部の凹部１１も外表面の一面に属する一部が切欠部によって構成されている本発明に係る指輪の指輪環構成部の凸部１１と凹部１１の一例を示す図である。
この様にこの凸部と凹部とを嵌合して嵌着することができ、これによって指輪環構成部がそれぞれ連設するものである。
【００２４】
図６は、図５に示す凸部１０と凹部１１とを嵌合して嵌着した一例を示す図であり、この状態において更にとも付け或いは蝋付けがなされるものである。
図７は、本発明に係る指輪の指輪環構成部の凸部１０と凹部の他の一例を示す図である。
四角柱形状の凸部１０の一面に属する一部が外表面に表出して構成されていると共に外凸部の付け根部分に段差部１０１を有している一例を示す。
この様に構成することによりとも付けや蝋付けの容易化を図れると共にデザイン的なアクセントを付与できるものである。
【００２５】
図８は、図６及び７に示す本発明に係る指輪の指輪環構成部を３つ用いて構成した一例の斜視図を示す。
この様に凸部と凹部とを嵌合して嵌着すると共にとも付け又は蝋付けできっちりと接着することができ、強度の高いかつデザイン性の極めて高い独特な指輪の提供を可能とする。
図９は、図８に示す構成から凸部と凹部とをはめ併せてとも付け又は蝋付けによって接着して指輪を構成した一例を示す。
【００２６】
図１０は、指輪環構成部を単なる孤状に形成した場合で両端部には特段の構成を有しない一般的な場合の一例を示す図である。
この様な通常の場合には本図に示すように平面部分での接着となることから、蝋付け程度では極めて簡単に外れてしまうものである。
従って、これに対して本発明に係る指輪は、前記した通りの凸部と凹部をもって構成しているものであり、きっちりと嵌合できると共に更にとも付け又は蝋付けによって極めて強度のある指輪として構成できるものである。
【００２７】
図１１は、凸部と凹部との嵌合状態をわかりやすく図示したものであり、特に図３図４に示す凸部と凹部の場合の一例を示すものであって、凸部１０と凹部１１とを嵌合した上でとも付け或いは蝋付けすることから強度のある指輪を構成できることとなる。
以上のように接合部をしっかりと構成でき、破損することのない指輪の提供を可能とする。
特に指輪は指にはめるものであり、不用意に大きい力が加わるものであり、変形や破損の危険性を有するが、本構成において接合部をしっかりと強度をもって構成できることから、これらを防止できるものとなり、複数個所においてこの強度を有する接合を有することから、更に強度が高まることとなる。
【００２８】
図１２は、図５に示す凸部と凹部の場合の一例を示すものであって、前記と同様に凸部１０と凹部１１とを嵌合した上でとも付け或いは蝋付けするものであり強度のある指輪を構成できることとなる。
図１３は、指輪環構成部１を２つの部材より構成した一例を示し、図１４は、４つの指輪環構成部１よりなる一例を示す。
本図のように任意の指輪環構成部１により指輪を構成でき、それぞれの素材を変えて、或いは色彩等を変えて組み合わせることにより、各種の特殊外観を有すると共に極めて強度のある指輪を提供できるものとなる。
【００２９】
図１５は、更に長さの異なる指輪環構成部１を用いた他の一例を示す。
略円周の２分の一を有する指輪環構成部１と略円周の四分の一の長さを有する指輪環構成部１を２つ使用して、長さの異なる計３つの指輪環構成部１をもって円周形状即ち環状の指輪を構成しているものである。
この様に構成してもデザイン性の高い、かつ強度の高い指輪の提供ができる。
又、本図のように長さを変えてもよく、或いは指輪環構成部１の孤状のアール角度を変えるものであってもよい。
例えば惰円形状の指輪等の場合のみならず特殊な環状形状を表出できるものとなる。
【００３０】
更には例えばそれぞれの指輪環構成部１の太さを一部又は全部変えるものであってもよい。
即ち外径の異なる指輪環構成部１を組み合わせて指輪を形成するものであってもよい。
以上のように極めて強度の高い指輪であるにもかかわらずデザイン性の高い又多様な外観を表出できる指輪の提供を可能とする。
【符号の説明】
【００３１】
１    指輪環構成部
１０  凸部
１１  凹部
１０１  段差部
【図１】
2013017618.tif 000003
【図２】
2013017618.tif 000004
【図３】
2013017618.tif 000005
【図４】
2013017618.tif 000006
【図５】
2013017618.tif 000007
【図６】
2013017618.tif 000008
【図７】
2013017618.tif 000009
【図８】
2013017618.tif 000010
【図９】
2013017618.tif 000011
【図１０】
2013017618.tif 000012
【図１１】
2013017618.tif 000013
【図１２】
2013017618.tif 000014
【図１３】
2013017618.tif 000015
【図１４】
2013017618.tif 000016
【図１５】
2013017618.tif 000017